(57)【要約】【目的】既に作成された差替え版レイアウトからでも差替えオブジェクトを取出して，新たな差替え版の作成に利用できるようにする。【構成】既存の差替え版レイアウトからオブジェクトを取出して新たな差替え版の差替えオブジェクトとするときに，ベース版レイアウト内のベース版オブジェクトに付けられた管理符号とは異なる管理符号を一旦付与する。そして，ベース版レイアウトにおいて，前記差替えオブジェクトと差替えられるべき被差替えオブジェクトを決定したときに，差替えオブジェクトの管理符号を前記被差替えオブジェクトの管理符号と同じに設定する。【選択図】図２
2015045908.tif 000002
【特許請求の範囲】
【請求項１】
それぞれに異なる管理符号が付けられた複数のベース版オブジェクトを含み，これらのベース版オブジェクトが設定された重ね順で重ねて表示されるベース版レイアウトにおいて，少なくとも１つのベース版オブジェクトをその重ね順を保ったまま差替えオブジェクトで差替えるレイアウト編集処理方法であって，
ベース版レイアウトのベース版オブジェクトと差替えるべきオブジェクトが決定されたときに，当該差替えオブジェクトに，ベース版レイアウト内のベース版オブジェクトに付けられた管理符号とは異なる管理符号を一旦付与し，
ベース版レイアウトにおいて，前記差替えオブジェクトと差替えられるべき被差替えオブジェクトを決定して，これらの前記差替えオブジェクトと前記被差替えオブジェクトとをリンクするときに，前記差替えオブジェクトの管理符号を前記被差替えオブジェクトの管理符号と同じに設定する，
レイアウト編集処理方法。
【請求項２】
複数のベース版オブジェクトと前記差替えオブジェクトとを含むオブジェクト・テーブルを作成し，
このオブジェクト・テーブルにおいて前記差替えオブジェクトの重ね順が前記被差替えオブジェクトの重ね順の直ぐ上，または直ぐ下に設定される，
請求項１に記載のレイアウト編集処理方法。
【請求項３】
それぞれに異なる管理符号が付けられた複数のベース版オブジェクトを含み，これらのベース版オブジェクトが設定された重ね順で重ねて表示されるベース版レイアウトにおいて，少なくとも１つのベース版オブジェクトをその重ね順を保ったまま差替えオブジェクトで差替えるレイアウト編集処理装置であって，
ベース版レイアウトのベース版オブジェクトと差替えるべきオブジェクトが決定されたときに，当該差替えオブジェクトに，ベース版レイアウト内のベース版オブジェクトに付けられた管理符号とは異なる管理符号を一旦付与する手段，および
ベース版レイアウトにおいて，前記差替えオブジェクトと差替えられるべき被差替えオブジェクトを決定して，これらの前記差替えオブジェクトと前記被差替えオブジェクトとをリンクするときに，前記差替えオブジェクトの管理符号を前記被差替えオブジェクトの管理符号と同じに設定する手段，
を備えるレイアウト編集処理装置。
【請求項４】
それぞれに異なる管理符号が付けられた複数のベース版オブジェクトを含み，これらのベース版オブジェクトが設定された重ね順で重ねて表示されるベース版レイアウトにおいて，少なくとも１つのベース版オブジェクトをその重ね順を保ったまま差替えオブジェクトで差替えるレイアウト編集処理をコンピュータに実行させるプログラムであって，
ベース版レイアウトのベース版オブジェクトと差替えるべきオブジェクトが決定されたときに，当該差替えオブジェクトに，ベース版レイアウト内のベース版オブジェクトに付けられた管理符号とは異なる管理符号を一旦付与し，
ベース版レイアウトにおいて，前記差替えオブジェクトと差替えられるべき被差替えオブジェクトを決定して，これらの前記差替えオブジェクトと前記被差替えオブジェクトとをリンクするときに，前記差替えオブジェクトの管理符号を前記被差替えオブジェクトの管理符号と同じに設定するようにコンピュータを制御するレイアウト編集処理プログラム。
【発明の詳細な説明】
【技術分野】
【０００１】
この発明は，レイアウト編集処理方法，装置およびプログラムに関する。
【背景技術】
【０００２】
チラシ，パンフレット，カタログ類のページ・レイアウトはＤＴＰ（Desktop publishing）を利用して作成されることが多い。この場合，一般的には，まずベース版を作成し，ベース版に含まれる特定のオブジェクトを他のオブジェクトと差し替えて１または異なる複数の版（差替え版）を作成する。しかしながら，ＤＴＰデータでは，商品情報の差し替えやサイズ，位置の変更に手間がかかり，作業効率が低くなることが問題となっていた。
【０００３】
特許文献１には，ベージ・レイアウトをブロック単位で分割し，ブロック内で差し替えデータを指定するレイアウト支援システムが記載されている。しかしながら，画像や文字の位置を変更するためには，修正したブロックを再度ベージに配置しなければならず，非効率的である。
【０００４】
特許文献２には，ブロックを指定することなく，オブジェクト単位で差し替えることができるレイアウト編集方法が記載されている。版によって差し替わるオブジェクト（差替えオブジェクト）がリンクして管理されることによって，表示，非表示を切り替え，差替え版を実現している。しかしながら，これらのオブジェクトはそのリンクがレイアウト内で固定されているから，それを取り出してさらに他の版に流用することができない。
【先行技術文献】
【特許文献】
【０００５】
【特許文献１】特許第４４６８２１７号公報
【特許文献２】特開２０１３−１５８７５号公報
【発明の開示】
【０００６】
この発明は既に作成された差替え版レイアウトからでもオブジェクトを取出して他の差替え版作成に利用できるようにすることを目的とする。
【０００７】
この発明は，それぞれに異なる管理符号が付けられた複数のベース版オブジェクトを含み，これらのベース版オブジェクトが設定された重ね順で重ねて表示されるベース版レイアウトにおいて，少なくとも１つのベース版オブジェクトをその重ね順を保ったまま差替えオブジェクトで差替えるレイアウト編集処理方法である。この発明によるレイアウト編集処理方法は，ベース版レイアウトのベース版オブジェクトと差替えるべきオブジェクトが決定されたときに，当該差替えオブジェクトに，ベース版レイアウト内のベース版オブジェクトに付けられた管理符号とは異なる管理符号を一旦付与し，ベース版レイアウトにおいて，前記差替えオブジェクトと差替えられるべき被差替えオブジェクトを決定して，これらの前記差替えオブジェクトと前記被差替えオブジェクトとをリンクするときに，前記差替えオブジェクトの管理符号を前記被差替えオブジェクトの管理符号と同じに設定するものである。
【０００８】
既に作成された差替え版レイアウトにおいては，その差替え版特有の体系で各オブジェクトに管理符号が付与されている。そこでこの発明においてはベース版に基づいて新たな差替え版を作成するにあたって，既に作成された差替え版レイアウトから所望のオブジェクトを取り出して差替えオブジェクトとすることを決定したときに，または既に作成されているオブジェクト群の中から所望のオブジェクトを選択して，もしくは新たにオブジェクトを創作して，これを差替えオブジェクトとすることを決定したときに，ベース版レイアウト内に存在するベース版オブジェクトに付けられた管理符号とは異なる管理符号を一旦付与している。これにより，ベース版内において，新たに加えた差替えオブジェクトを他のベース版オブジェクトと区別することができるとともに，その差替えオブジェクトを既存の差替え版から取出したときには，取出した差替えオブジェクトを既存の差替え版における管理符号の体系から切り離すことができる。
【０００９】
そうして，この発明によると，ベース版レイアウトにおいて，前記差替えオブジェクトと差替えられるべき被差替えオブジェクトを決定して，これらの前記差替えオブジェクトと前記被差替えオブジェクトとをリンクするときに，前記差替えオブジェクトの管理符号を前記被差替えオブジェクトの管理符号と同じに設定する。これにより，新たに作成された差替え版においては，差替えオブジェクトと被差替えオブジェクトとが同じ管理符号を付与され，この同じ管理符号に基づいて，ベース版レイアウト表示（プリント）と差替え版レイアウト表示（プリント）とにおいて，これらの同じ管理符号をもつオブジェクトの表示，非表示を切替えることができる。
【００１０】
より具体的には，たとえば，複数のベース版オブジェクトと前記差替えオブジェクトとを含むオブジェクト・テーブルを作成する。このとき，このオブジェクト・テーブルにおいて前記差替えオブジェクトの重ね順が前記被差替えオブジェクトの重ね順の直ぐ上，または直ぐ下に設定される。
【００１１】
この発明は上記レイアウト編集処理方法を実行する装置を提供している。このレイアウト編集処理装置は，それぞれに異なる管理符号が付けられた複数のベース版オブジェクトを含み，これらのベース版オブジェクトが設定された重ね順で重ねて表示されるベース版レイアウトにおいて，少なくとも１つのベース版オブジェクトをその重ね順を保ったまま差替えオブジェクトで差替えるレイアウト編集処理装置である。そしてこの装置は，ベース版レイアウトのベース版オブジェクトと差替えるべきオブジェクトが決定されたときに，当該差替えオブジェクトに，ベース版レイアウト内のベース版オブジェクトに付けられた管理符号とは異なる管理符号を一旦付与する手段，およびベース版レイアウトにおいて，前記差替えオブジェクトと差替えられるべき被差替えオブジェクトを決定して，これらの前記差替えオブジェクトと前記被差替えオブジェクトとをリンクするときに，前記差替えオブジェクトの管理符号を前記被差替えオブジェクトの管理符号と同じに設定する手段を備えている。
【００１２】
この発明はさらに上記レイアウト編集処理方法をコンピュータに実行させるプログラムを提供しており，このプログラムは，それぞれに異なる管理符号が付けられた複数のベース版オブジェクトを含み，これらのベース版オブジェクトが設定された重ね順で重ねて表示されるベース版レイアウトにおいて，少なくとも１つのベース版オブジェクトをその重ね順を保ったまま差替えオブジェクトで差替えるレイアウト編集処理を，コンピュータに実行させるプログラムである。このプログラムは，ベース版レイアウトのベース版オブジェクトと差替えるべきオブジェクトが決定されたときに，当該差替えオブジェクトに，ベース版レイアウト内のベース版オブジェクトに付けられた管理符号とは異なる管理符号を一旦付与し，ベース版レイアウトにおいて，前記差替えオブジェクトと差替えられるべき被差替えオブジェクトを決定して，これらの前記差替えオブジェクトと前記被差替えオブジェクトとをリンクするときに，前記差替えオブジェクトの管理符号を前記被差替えオブジェクトの管理符号と同じに設定するようにコンピュータを制御するものである。
【図面の簡単な説明】
【００１３】
【図１】レイアウト編集処理装置の電気的概略構成を示すブロック図である。
【図２】ベース版ページ・レイアウト（表示）を示す図であり，(A) ，(B) ，(C) はベース版を，(D) はＡ版を，(E) は作成過程のＢ版を，(F) は完成したＢ版をそれぞれ示す。
【図３】オブジェクト・テーブル（ベース版）の一例を示す。
【図４】オブジェクト・テーブル（Ａ版）の一例を示す。
【図５】オブジェクト・テーブル（Ｂ版）（ペースト後）の一例を示す。
【図６】オブジェクト・テーブル（Ｂ版）（重ね順指定後）の一例を示す。
【図７】オブジェクト・テーブル（Ｂ版）（ＩＤ変更後）の一例を示す。
【図８】オブジェクトを示す。
【図９】ベース版オブジェクトの一例を示す。
【図１０】差替え版オブジェクトの一例を示す。
【図１１】ペースト処理を示すフローチャートである。
【図１２】編集処理を示すフローチャートである。
【実施例】
【００１４】
図１はレイアウト編集処理装置の電気的構成の概要を示すものである。レイアウト編集処理装置１は，たとえば，パーソナル・コンピュータ等により構成されており，制御部11，記憶部12，操作部13，表示部14およびインターフェース部（Ｉ／Ｆ部）15を備えている。
【００１５】
記憶部12は，たとえば，ハードディスク・ドライブや不揮発性メモリ等により構成されており，オペレーティング・システムや，アプリケーション等の各種プログラム，各種データ（ＤＴＰデータ，各種テーブル，オブジェクト等）等を記憶する。これらのアプリケーション・プログラムには，ＤＴＰデータを編集するためのレイアウト編集用アプリケーション（一般的なレイアウト・ソフトを含む），後述する差替版作成処理等を行うプログラムが含まれている。これらのプログラムはサーバ装置等からネットワークを介して取得するようにしてもよいし，記録媒体に記録されたものを読み込むようにしてもよい。
【００１６】
操作部13は，たとえばキーボード，マウス等により構成されており，ユーザ（編集者）の入力操作を受け付け，入力操作に応じた操作信号を制御部11に送る。表示部14は，液晶ディスプレイ装置等で構成されており，制御部11の制御の下，レイアウト，メニューなどの各種ウィンドウ等を表示する。Ｉ／Ｆ部15は，スキャナやプリンタ等の周辺機器との間で送受信するデータの変換等を行う。
【００１７】
制御部11は，演算機能を有するＣＰＵ，ＲＯＭ，作業用のＲＡＭ等を備えており，操作部13からの操作信号に基づいて，当該操作信号によって指示された処理を行い，その結果を記憶部12，表示部14，Ｉ／Ｆ部15に出力する。
【００１８】
図２はベース版のページ・レイアウト，このベース版を基に作成されたＡ版のページ・レイアウト，およびＡ版から差替えオブジェクトを取り出してベース版の被差替えオブジェクトと差替えることにより新たに作成するＢ版のページ・レイアウトを，Ｂ版の作成過程が理解できるように示すものである。
【００１９】
まずベース版について説明する。図２に示されるベース版のページ・レイアウト（図２(A)，(B)，(C) ）は表示部14に表示された状態を示すものである。このレイアウトには，少なくとも隣接するものが重ねて表示される複数のベース版画像オブジェクトと，対応する画像オブジェクトに重ねて表示される複数のベース版テキスト・オブジェクトとが含まれており，その重ね順は，図３に示す記憶部12内のオブジェクト・テーブルに記憶されている。オブジェクト・テーブルはオブジェクト名とその重ね順を示すものである。重ね順は，下のものほど上のものに隠れて見えない，すなわち，上のオブジェクト（対象，目的物）が下のオブジェクトよりも優先して表示される。重ね順を示す番号は上のものほど小さい。テキスト・オブジェクトの方が画像オブジェクトよりも上に表示される。
【００２０】
ベース版画像オブジェクトについて説明すると，「メロンの画像」を表わすベース版画像オブジェクト１，「バナナの画像」を表わすベース版画像オブジェクト２，「みかんの画像」を表わすベース版画像オブジェクト３，「りんごの画像」を表わすベース版画像オブジェクト４の順である。「ベース版画像オブジェクト」に続く数字「１」，「２」，「３」，「４」はＩＤ番号（管理符号）であり，画像オブジェクトについてはすべて異なる数字が用いられる。
【００２１】
テキスト・オブジェクトは画像オブジェクトの上に重ねて表示されるもので，「メロン」の文字を表わすベース版テキスト・オブジェクト１，「１玉  ￥2,900 」の文字（記号，数字を含む，以下同じ）を表わすベース版テキスト・オブジェクト２，「バナナ」の文字を表わすベース版テキスト・オブジェクト３，「１房  ￥98」の文字を表わすベース版テキスト・オブジェクト４，「みかん」の文字を表わすベース版テキスト・オブジェクト５，「３個  ￥80」の文字を表わすベース版テキスト・オブジェクト６，「りんご」の文字を表わすベース版テキスト・オブジェクト７，および「２個  ￥150 」の文字を表わすベース版テキスト・オブジェクト８の順である。「ベース版テキスト・オブジェクト」に続く「１」〜「８」の数字はＩＤ番号（管理符号）であり，テキスト・オブジェクトについてはすべて異なる数字が用いられる。管理符号は番号のみならず他の符号を用いてもよい。
【００２２】
このようなベース版オブジェクトが既に作成されているものとする（このようなベース版オブジェクトはオブジェクト・テーブルやそれらの表示を含めて既知の（市販の）レイアウト編集用アプリケーションにより作成することができる）。
【００２３】
上記のベース版を基礎として，オブジェクト間の重ねの順を変更することなくその一部のオブジェクトを他のオブジェクトと置き替えた（差し替えた）差替え版を作成することができる。ベース版は１つであるが，そのベース版を基礎として複数の差替え版の作成が許容される。複数の差替え版を区別するために便宜上Ａ，Ｂ等の符号を用いる。
【００２４】
Ａ版のページ・レイアウト（図２(D) ）は，ベース版において，「りんごの画像」，「りんご」の文字および「２個  ￥150 」の文字を，「ぶどうの画像」，「ぶどう」の文字および「１房  ￥750 」の文字と差し替えることにより作成されたものである。
【００２５】
このような差し替えは，差替えモードにおいて，差替えオブジェクト（「ぶどうの画像」，「ぶどう」の文字，「１房  ￥750 」の文字）を作成（選択）しておき（画像などは既に作成された多数の画像の中から選択すればよい），ベース版レイアウトの表示画面上において被差替えオブジェクトを指定し，かつ既に作成した差替えオブジェクトを被差替えオブジェクトの代わりに配置されるものとして選択すればよい（テキスト・オブジェクトについてはその都度で入力することができる）。
【００２６】
図４は差替えＡ版のオブジェクト・テーブルを示している。図３に示すベース版のオブジェクト・テーブルとは次の点で異なる。すなわち，画像オブジェクトに関していえば，ベース版の被差替えオブジェクト「りんごの画像」（ベース版画像オブジェクト４）の１つ下の重ね順（１つ上の重ね順でもよい）の位置に，Ａ版の差替えオブジェクト「ぶどうの画像」（Ａ版画像オブジェクト４）が挿入されている。これらの画像オブジェクトのＩＤ番号はともに「４」であり，同じＩＤ番号をつけることにより相互にリンクしている。
【００２７】
テキスト・オブジェクトについても同じように，被差替えオブジェクト「りんご」の文字（ベース版テキスト・オブジェクト７）の１つ下の重ね順（１つ上の重ね順でもよい）の位置に差替えオブジェクト「ぶどう」の文字（Ａ版テキスト・オブジェクト７）が挿入されている。これらのテキスト・オブジェクトにはオブジェクト名の末尾にともに「７」のＩＤ番号がつけられ，相互にリンクされている。
【００２８】
さらに，他の被差替えオブジェクト「２個  ￥150 」の文字（ベース版テキスト・オブジェクト８）の１つ下の重ね順（１つ上の重ね順でもよい）の位置に差替えオブジェクト「１房  ￥750 」の文字（Ａ版テキスト・オブジェクト８）が挿入されている。これらのテキスト・オブジェクトにはオブジェクト名の末尾にともに「８」のＩＤ番号がつけられ，相互にリンクされている。
【００２９】
ベース版の表示またはプリントにおいては，図４のオブジェクト・テーブル中のベース版テキスト・オブジェクト１〜８およびベース版画像オブジェクト１〜４のオブジェクトを用いて，その重ね順にしたがって図２(A) ，(B) ，(C) のような表示またはプリントが行なわれる。Ａ版の表示またはプリントにおいては，図４のオブジェクト・テーブル中のベース版テキスト・オブジェクト１〜６，Ａ版テキスト・オブジェクト７，８，ベース版画像オブジェクト１〜３およびＡ版画像オブジェクト４を用いて，その重ね順にしたがって図２(D) に示すような表示またはプリントが行なわれる。すなわち，同じＩＤ番号でリンクされているオブジェクトについては，ベース版またはＡ版で表示，非表示が切り替えられることにより，１つのオブジェクト・テーブル（Ａ版）（図４）でベース版とＡ版の表示（またはプリント）が可能となる。ＩＤ番号によるリンクは版に応じて表示，非表示（プリント，非プリント）を切り替えるために利用される。
【００３０】
このように，他のオブジェクトとの関係で重ね順を変更することなく被差替えオブジェクトを差替えオブジェクトによって差し替える方法（装置，プログラム）については出願人が既に特許出願（特願2011−146095）（以下，「先願」という）（上記特許文献２）しているが，この方法に限らず，図４に示すようなオブジェクト・テーブルを作成することは可能である。先願の方法を説明すると，ベース版において表示画面上において被差替えオブジェクトが指定されると，制御部11は，データ上またはメモリ上で（レイアウト上で），この被差替えオブジェクトと全く同じオブジェクトを，被差替えオブジェクトの直ぐ上または直ぐ下に重ねて，全く同じ配置位置に複製する。そして，別途作成しておいた，またはユーザが選択した差替えオブジェクトを複製した被差替えオブジェクトと差し替える。このようにして差替えオブジェクトの重ね順が被差替えオブジェクトの直ぐ上または直ぐ下に規定される。そして，ベース版のモードにおいては被差替えオブジェクトを表示して差替えオブジェクトを表示せず，差替えＡ版のモードにおいては差替えオブジェクトを表示し，被差替えオブジェクトを表示しないように制御する。
【００３１】
先願の明細書に開示されている技術は上記にとどまっている。この発明の実施例では，Ａ版のための被差替えオブジェクト（「ぶどうの画像」，「ぶどう」の文字，「１房  ￥750 」の文字）をさらに，Ｂ版作成のために利用しようとするものである。このとき，Ａ版のオブジェクト・テーブル（図４）はそのまま変更なしに保存される。また，Ｂ版作成のためにベース版（図２(A) ，(B) ，(C) ）が利用される。
【００３２】
制御部11は，Ｂ版レイアウト作成のために，ベース版を基にした差替えモードに設定される。この差替えモードの処理は，ペースト処理（図11）と編集処理（図12）とを含む。
【００３３】
まず，ペースト処理（図11）において，オペレータは操作部13でＡ版から「ぶどう」に関連するオブジェクトを取り出す操作を行う。Ａ版が指定されると（Ｓ11），制御部11はＡ版のレイアウト（図２(D) ）を表示部14に表示する（Ｓ12）。オペレータが操作部13でＡ版レイアウト上の「ぶどうの画像」，「ぶどう」の文字および「１房  ￥750 」の文字を選択するので（Ｓ13），制御部は選択されたオブジェクトにＩＤ番号を付与してオブジェクト・テーブル（Ｂ版）（ペースト後）（図５）を作成する（Ｓ14）。表示部14の表示画面には図２(E) に示すように「ぶどうの画像」，「ぶどう」の文字，「１房  ￥750 」の文字が表示される。
【００３４】
図５に示すオブジェクト・テーブルはベース版のオブジェクト・テーブル（図３）を基調とするもので，そのテーブルに，上で選択された「ぶどうの画像」がＢ版画像オブジェクト５として，「ぶどう」の文字がＢ版テキスト・オブジェクト９として，「１房  ￥750 」の文字がＢ版テキスト・オブジェクト10としてそれぞれ追加される。ここで各オブジェクト名の末尾にあるＩＤ番号としては，オブジェクト・テーブル（ベース版）に既に存在するすべてのオブジェクトに付けられたＩＤ番号とは異なるものが付けられる。この実施例では，ＩＤ番号としては連続番号が用いられているので，使われている連続番号の最大値に１，２等を加えた数字，すなわち，画像オブジェクトについては「５」，テキスト・オブジェクトについては「９」，「10」が用いられる。
【００３５】
新たに作成しようとするＢ版の差替えオブジェクトとして，このように既に存在するオブジェクトのＩＤ番号とは異なるＩＤ番号を付すのは，Ｂ版のオブジェクト・テーブルにおいて，差替えオブジェクトを他のオブジェクトと区別するためである。もし，Ａ版の「ぶどう」に関するオブジェクトのオブジェクト名をそのまま使うと同じＩＤ番号が存在することになり，混同を生じやすいからである。
【００３６】
次に図12に示す編集処理に進む。オペレータは図11の処理でペーストしたオブジェクト（「ぶどうの画像」，「ぶどう」の文字，「１房  ￥750 」の文字）（差替えオブジェクト）と，ベース版レイアウト上の被差替えオブジェクト（「みかんの画像」，「みかん」の文字および「３個  ￥80」の文字）を操作部13において，選択する（Ｓ21，Ｓ22，Ｓ24，Ｓ25）。すると，これらの選択されたオブジェクトが記憶部12に記憶される（Ｓ26）。差替えオブジェクト，被差替えオブジェクトのいずれを先に選択してもよい。差替えオブジェクトについては，ペースト処理（図11）で既に選択されたことになっていれば，再度の選択は必ずしも必要ではない。また，差替えオブジェクトの重ね順は，他のオブジェクトとの関係でいうと被差替えオブジェクトの重ね順と同じであるが，必要なら，確認的に差替えオブジェクトの重ね順（たとえば，被差替えオブジェクトである「みかん」の直ぐ下または直ぐ上など）を指定する。
【００３７】
このときのオブジェクト・テーブル（Ｂ版）（重ね順指定後）は図６に示すようになる。すなわち，差替えオブジェクトは，被差替えオブジェクトの直ぐ下（または直ぐ上）の位置に挿入されている。たとえば，画像オブジェクトについていうと，「ぶどうの画像」は「みかんの画像」の直ぐ下に位置している（重ね順14）。テキスト・オブジェクトについては，「ぶどう」の文字は「みかん」の文字の直ぐ下に（重ね順６），「１房  ￥750 」の文字は「３個  ￥80」の文字の直ぐ下に（重ね順８）に位置している。
【００３８】
この後，制御部11は，ベース版の被差替えオブジェクトのＩＤ番号（「みかんの画像」については，「ベース版画像オブジェクト３」の「３」，「みかん」の文字については「５」，「３個  ￥80」の文字については「６」）を取得し（Ｓ27），これらに対応するＢ版の差替えオブジェクトに同じＩＤ番号をつける（Ｓ28）。これにより，図７に示すように，「ぶどうの画像」については「Ｂ版画像オブジェクト３」というオブジェクト名が付けられ，「ぶどう」の文字については「Ｂ版テキスト・オブジェクト５」というオブジェクト名となり，「１房  ￥750 」という文字について「Ｂ版テキスト・オブジェクト６」というオブジェクト名がつけられることになる。
【００３９】
図７に示すオブジェクト・テーブルによると，Ｂ版の表示（プリント）が選択されると，図２(F) に示すように，ベース版の「みかん」に関する表示の代わりに「ぶどう」に関する画像，文字が表示される。ベース版に関しては，図２(C) に示すように「みかん」に関する表示がなされている。
【００４０】
上述した各オブジェクトについては，記憶部12内に図８に示すようなオブジェクト属性情報（属性データ）（これをオブジェクトということもある）が記憶されている。オブジェクトは，オブジェクト名（上述した「ベース版画像オブジェクト３」など），オブジェクトを表わす画像データ（画像オブジェクトの場合）もしくはテキスト・データ（テキスト・オブジェクトの場合）またはこれらの画像データもしくはテキスト・データへのルート（これらのデータが格納されている記憶場所のアドレス），オブジェクトが配置されている位置（チラシ等の１ページ上のレイアウト位置または画面上の位置）を表わす座標等から構成される。オブジェクトの位置座標は，たとえばオブジェクトに外接する方形の左下の角の座標（たとえば，画面またはチラシ１頁分のレイアウトの左下の角を原点とする）で表わされる。
【００４１】
オブジェクトの一例が図９および図10に示されている。図９はベース版画像オブジェクト３（みかん）のオブジェクトであり，図10は差替えＢ版画像オブジェクト３（ぶどう）のオブジェクトである。
【００４２】
上記実施例では既存の差替え版（Ａ版）から差替えオブジェクトを取得しているが，既に作成されかつ保存されているオブジェクト群から差替えオブジェクトを選択してもよいし，差替えオブジェクトを新たに創作してもよいのはいうまでもない。
【符号の説明】
【００４３】
１  レイアウト編集処理装置
11  制御部
12  記憶部
13  操作部
14  表示部
【図１】
2015045908.tif 000003
【図３】
2015045908.tif 000004
【図４】
2015045908.tif 000005
【図５】
2015045908.tif 000006
【図６】
2015045908.tif 000007
【図７】
2015045908.tif 000008
【図８】
2015045908.tif 000009
【図９】
2015045908.tif 000010
【図１０】
2015045908.tif 000011
【図１１】
2015045908.tif 000012
【図１２】
2015045908.tif 000013
【図２】
2015045908.tif 000014